(57)【要約】【課題】所定の機能を果たす個人用の機器に適用され、より悪用防止効果の高い認証装置を提供すること。【解決手段】この認証装置１０は、使用者が利用する所定の機能を果たす機能部１０１と、使用者の筋肉の運動によって生じる筋電位信号の変化を測定する筋電位取得部１０２と、当該測定結果に基づいた使用者の認証に応じて、機能部１０１の所定の機能を使用者に対して利用可能な状態に遷移させる状態遷移部１０４と、を含む。【選択図】　図１
2004133794.tif 000002
【特許請求の範囲】
【請求項１】
使用者が利用する所定の機能を果たす機能部と、
前記使用者の筋肉の運動によって生じる筋電位信号の変化を測定する筋電位取得手段と、
当該測定結果に基づいた前記使用者の認証に応じて、前記機能部の所定の機能を前記使用者に対して利用可能な状態に遷移させる状態遷移手段と、
を含む認証装置。
【請求項２】
前記筋電位取得手段の測定結果に基づいて、前記使用者の認証を行う認証手段を更に含む、請求項１に記載の認証装置。
【請求項３】
前記筋電位取得手段の測定結果を所定の送信先装置に送信する送信手段と、
当該送信した測定結果に基づいて返信される前記使用者の認証結果を受信する受信手段とを更に含む、請求項１に記載の認証装置。
【請求項４】
前記筋電位取得手段は、複数組の一対の電極によって構成され、前記認証手段は、ニューラルネットワークを利用して情報処理を行い、前記使用者の認証を行う、請求項２に記載の認証装置。
【請求項５】
使用者が利用する所定の機能を果たす機能部と、
前記使用者の筋肉の運動によって生じる筋電位信号の変化を測定する筋電位取得手段と、
前記筋電位取得手段の測定結果を所定の送信先装置に送信する送信手段と、
当該送信された測定結果に基づいて前記使用者の認証を行う認証手段と、
当該認証結果を受信する受信手段と
当該受信した認証結果に応じて、前記機能部の所定の機能を前記使用者に対して利用可能な状態に遷移させる状態遷移手段と、
を含む認証システム。
【請求項６】
前記筋電位取得手段は、複数組の一対の電極によって構成され、前記認証手段は、ニューラルネットワークを利用して情報処理を行い、前記使用者の認証を行う、請求項５に記載の認証システム。
【請求項７】
筋電位取得手段が、使用者の筋肉の運動によって生じる筋電位信号の変化を測定する筋電位取得ステップと、
当該測定結果に基づいた前記使用者の認証に応じて、状態遷移手段が、前記使用者が利用する機能部の所定の機能を利用可能な状態に遷移させる状態遷移ステップと、
を含む認証方法。
【請求項８】
前記筋電位取得手段の測定結果に基づいて、認証手段が前記使用者の認証を行う認証ステップを更に含む、請求項７に記載の認証方法。
【請求項９】
送信手段が前記筋電位取得手段の測定結果を所定の送信先装置に送信する送信ステップと、
受信手段が当該送信された測定結果に基づいて返信される前記使用者の認証結果を受信する受信ステップとを更に含む、請求項７または８に記載の認証方法。
【請求項１０】
前記筋電位取得手段は、複数組の一対の電極によって構成され、
前記認証ステップにおいて前記認証手段は、ニューラルネットワークを利用して情報処理を行い、前記使用者の認証を行う、請求項８に記載の認証方法。
【発明の詳細な説明】
【０００１】
【発明の属する技術分野】
本発明は、認証装置、認証システム、および認証方法に関するものである。
【０００２】
【従来の技術】
人間といった生体個々を認証する個人認証技術は、生体情報の種類に応じて様々なものが提案されている。例えば、指紋による認証や、眼球の虹彩、網膜パターンによる認証や、声紋による認証がある。別の生体情報に基づく認証技術として、生体の筋肉の運動によって生じる筋電位信号の変化を利用するものがある（例えば、特許文献１参照。）。
【０００３】
【特許文献１】
特開２００１−１７８７０７号公報
【０００４】
【発明が解決しようとする課題】
現在においては、携帯電話機・ＰＤＡ（Ｐｅｒｓｏｎａｌ　Ｄｉｇｉｔａｌ　Ａｓｓｉｓｔａｎｃｅ）・多機能腕時計といった所定の機能を有する個人用の情報機器が普及しているけれども、これらの個人用情報機器を他人が悪用する場合の防止措置としてはパスワードの入力といった手法が採用されている。しかしながら、パスワードは盗用されるおそれもあり、悪用防止措置としては不十分な場合もある。
【０００５】
そこで本発明では、所定の機能を果たす個人用の機器に適用され、より悪用防止効果の高い認証装置、認証システム、および認証方法を提供することを課題とする。
【０００６】
【課題を解決するための手段】
本発明者らは、所定の機能を有する個人用の情報機器の悪用防止措置としてのパスワードの入力に代えて、指紋による認証や、眼球の虹彩、網膜パターンによる認証や、声紋による認証といった生体情報による認証の適用を検討した。しかしながら、指紋は偽造が容易であり、虹彩や網膜パターンの場合は偽造が容易ではないけれども、他人の眼球をくりぬくような犯罪を誘発する恐れがある。つまり、指紋や虹彩や網膜パターンといった静的データでは、死体であっても認証されてしまうことを検討の過程で見いだした。特に、所定の機能を有する個人用の情報機器は、各使用者が携帯することが多いために静的データは適していない場合があることを本発明者らは見出した。また、声紋は動的データであるけれども、風邪で喉を痛めたような場合には認証エラーが発生する恐れがあり、周囲の騒音によっても影響を受けやすいことも検討の過程で見いだした。特に、所定の機能を有する個人用の情報機器は、各使用者が携帯して外出先で使用することが多いために認証エラーの発生が懸念されることを本発明者らは見出した。本発明はこれらの知見に基づいてなされたものである。
【０００７】
本発明の認証装置は、使用者が利用する所定の機能を果たす機能部と、使用者の筋肉の運動によって生じる筋電位信号の変化を測定する筋電位取得手段と、当該測定結果に基づいた使用者の認証に応じて、機能部の所定の機能を使用者に対して利用可能な状態に遷移させる状態遷移手段と、を含む。
【０００８】
本発明の認証装置によれば、筋電位信号の変化に基づいて使用者を認証した結果に応じて所定の機能を利用可能な状態に遷移させるので、より確実に使用者の認証が可能となる。例えば、この認証装置を個人用の情報機器に適用すれば、使用者はパスワードを入力するといったことをせずに、第三者の悪用の可能性を効果的に低減できる。
【０００９】
また本発明の認証装置では、筋電位取得手段の測定結果に基づいて、使用者の認証を行う認証手段を更に含むことも好ましい。認証装置が認証手段を含んでいれば、筋電位信号に基づいて使用者を認証する際に他の機器と通信を行わずに処理できる。
【００１０】
また本発明の認証装置では、筋電位取得手段の測定結果を所定の送信先装置に送信する送信手段と、当該送信した測定結果に基づいて返信される使用者の認証結果を受信する受信手段とを更に含むことも好ましい。測定した筋電位信号を所定の送信先装置に送信し、その送信に応じて認証結果を受信するので、例えばその送信先装置に含まれる認証手段によって使用者を認証することが可能となる。
【００１１】
また本発明の認証装置では、筋電位取得手段は、複数組の一対の電極によって構成され、認証手段は、ニューラルネットワークを利用して情報処理を行い、使用者の認証を行うことも好ましい。認証手段としてニューラルネットワークを用いれば、より信頼性の高い認証が可能となる。
【００１２】
本発明の認証システムは、使用者が利用する所定の機能を果たす機能部と、使用者の筋肉の運動によって生じる筋電位信号の変化を測定する筋電位取得手段と、筋電位取得手段の測定結果を所定の送信先装置に送信する送信手段と、当該送信された測定結果に基づいて使用者の認証を行う認証手段と、当該認証結果を受信する受信手段と当該受信した認証結果に応じて、機能部の所定の機能を使用者に対して利用可能な状態に遷移させる状態遷移手段と、を含む。
【００１３】
本発明の認証システムによれば、筋電位信号の変化に基づいて使用者を認証した結果に応じて所定の機能を利用可能な状態に遷移させるので、より確実に使用者の認証が可能となる。例えば、この認証システムを個人用の情報機器および認証サーバを含むシステムに適用すれば、使用者はパスワードを入力するといったことをせずに、第三者の悪用の可能性を効果的に低減できる。
【００１４】
本発明の認証システムでは、筋電位取得手段は、複数組の一対の電極によって構成され、認証手段は、ニューラルネットワークを利用して情報処理を行い、使用者の認証を行うことも好ましい。認証手段としてニューラルネットワークを用いれば、より信頼性の高い認証が可能となる。
【００１５】
本発明の認証方法は、筋電位取得手段が、使用者の筋肉の運動によって生じる筋電位信号の変化を測定する筋電位取得ステップと、当該測定結果に基づいた使用者の認証に応じて、状態遷移手段が、使用者が利用する機能部の所定の機能を利用可能な状態に遷移させる状態遷移ステップと、を含む。
【００１６】
本発明の認証方法によれば、筋電位信号の変化に基づいて使用者を認証した結果に応じて所定の機能を利用可能な状態に遷移させるので、より確実に使用者の認証が可能となる。例えば、この認証方法を個人用の情報機器における認証に適用すれば、使用者はパスワードを入力するといったことをせずに、第三者の悪用の可能性を効果的に低減できる。
【００１７】
本発明の認証方法では、筋電位取得手段の測定結果に基づいて、認証手段が使用者の認証を行う認証ステップを更に含むことも好ましい。認証ステップを含んでいれば、筋電位信号に基づいて使用者を認証できる。
【００１８】
本発明の認証方法では、送信手段が筋電位取得手段の測定結果を所定の送信先装置に送信する送信ステップと、受信手段が当該送信された測定結果に基づいて返信される使用者の認証結果を受信する受信ステップとを更に含むことも好ましい。測定した筋電位信号を所定の送信先装置に送信し、その送信に応じて認証結果を受信するので、例えばその送信先装置に含まれる認証手段によって使用者を認証することが可能となる。
【００１９】
本発明の認証方法では、筋電位取得手段は、複数組の一対の電極によって構成され、認証ステップにおいて認証手段は、ニューラルネットワークを利用して情報処理を行い、使用者の認証を行うことも好ましい。認証手段としてニューラルネットワークを用いれば、より信頼性の高い認証が可能となる。
【００２０】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００２１】
本発明の第１実施形態である認証装置について図１を用いて説明する。図１は認証装置１０を説明するための図である。認証装置１０は、物理的には、ＣＰＵ（中央処理装置）、ＲＡＭやＲＯＭといったメモリ、筋電位信号を測定するための電極、所定の機能を果たす機能部などを備えた個人用の情報機器として構成されている。所定の機能は、認証装置１０に求められる機能によって設定されるものであり、時計機能、電話機機能、データ管理機能、テレビ電話機能といった機能が適宜選択される。従って認証装置１０は、所定の機能が時計機能であれば腕時計として機能し、所定の機能が電話機機能であれば携帯電話機として機能し、データ管理機能であればＰＤＡ（Ｐｅｒｓｏｎａｌ　Ｄｉｇｉｔａｌ　Ａｓｓｉｓｔａｎｃｅ）として機能する。
【００２２】
認証装置１０は機能的な構成要素として、機能部１０１と、筋電位取得部（筋電位取得手段）１０２と、認証部（認証手段）１０３と、状態遷移部（状態遷移手段）１０４とを含む。引き続いて、各構成要素について詳細に説明する。
【００２３】
機能部１０１は、認証装置１０の使用者が利用する所定の機能を果たす部分であり、時計機能、電話機機能、データ管理機能、テレビ電話機能といった機能を果たす部分である。機能部１０１は、定常状態においてはその機能が使用ができないようになっており、状態遷移部１０４からの指示信号に応じて機能が使用できるように構成されている。
【００２４】
筋電位取得部１０２は、使用者の筋肉の運動によって生じる筋電位信号の変化を測定する部分である。具体的には、筋電位取得部１０２は、第一電極１０２ａおよび第二電極１０２ｂの一対の電極を含み、第一電極１０２ａおよび第二電極１０２ｂが測定する筋電位の変化を筋電位信号として認証部１０３に出力する。この実施形態においては、筋電位取得部１０２は一対の電極によって構成されているけれども、電極の組を複数組有するようにしてもよい。
【００２５】
複数組の電極を有した場合には、例えば図２に示すように、腕時計バンドの内側に１０組の電極１０２ｋ〜１０２ｕを有するようにすることが好ましい。このようにすれば、腕時計１２を腕に装着することで、電極１０２ｋ〜１０２ｕが皮膚に密着して筋電位信号を測定できる。また、図３に示すように、携帯電話機１１の所定の場所に電極１０２ｃ〜１０２ｊを有するようにすることも好ましい。このようにすれば、携帯電話機１１を通常の使用状態の位置に持ってきて通話などをすると、口輪筋、大頬骨筋、顎二腹筋といった筋肉に対応する部位に電極１０２ｃ〜１０２ｊが密着して筋電位信号を測定できる。
【００２６】
認証部１０３は、筋電位取得部１０２が取得した筋電位信号に基づいて、使用者の認証を行う部分である。より具体的には、認証部１０３は、時系列の筋電位信号を高速フーリエ変換によって周波数領域の信号に変換する。認証部１０３は、この周波数領域の信号をニューラルネットワークに入力し、その入力に応じた出力結果に基づいて使用者が本人であるかどうかを認証する。認証部１０３は、使用者が本人であるかどうかの認証結果を状態遷移部１０４に出力する。
【００２７】
図４にニューラルネットワークを用いた認証動作の一例を説明する図を示す。図４の例に拠れば、本実施形態のニューラルネットワーク４０は、入力層４０ａ、中間層４０ｂ、出力層４０ｃからなる。入力層４０ａには筋電位信号を周波数領域の信号に変換した筋電位周波数スペクトル４０１が入力される。出力層４０ｃからは、使用者が本人かどうかを識別するための認識結果４０２が出力される。この認識結果４０２に基づいて本人であるかどうかが判断される。より具体的には図５および図６に示すように、筋電位取得部１０２の第一電極１０２ａおよび第二電極１０２ｂが取得した筋電位信号は、差動アンプ６０、ローカットフィルタ６１、ハイカットフィルタ６２を経由し、ＦＦＴ部６３において３分の１オクターブ解析の高速フーリエ変換される。例えば、筋電位信号を３分の１オクターブ解析の高速フーリエ変換で１０バンドの周波数帯域ごとに各バンドのパワー値５０１ａを算出し、「０．１２、０．５４、０．３０、０．４２、０．６０、０．５４、０．２０、０．１５、０．６６、０．３０」といったデータセット５０１にし、そのデータセット５０１を筋電位周波数スペクトル４０１としてニューラルネットワーク４０に入力する。この１０バンドの周波数帯域の各中心周波数は低い方から（図５および図６においては左側から）、６３Ｈｚ、８０Ｈｚ、１００Ｈｚ、１２５Ｈｚ、１６０Ｈｚ、２００Ｈｚ、２５０Ｈｚ、３１５Ｈｚ、４００Ｈｚ、５００Ｈｚである。本実施形態のように５本の出力信号５０２が得られる場合には、各信号ごとに例えば「Ａ氏」「Ｂ氏」「Ｃ氏」「Ｄ氏」「Ｅ氏」が割り当てられ、出力が最大値となる信号に対応する人であることを示す。５本の出力信号５０２が「０．９、０．２、０．３、０．１、０．４」であれば、１本目の信号が最大値を取るので、その信号に割り当てられている「Ａ氏」であることとなる。
【００２８】
ニューラルネットワーク４０は、入力層４０ａと中間層４０ｂ、中間層４０ｂと出力層４０ｃの間の層間結合の重み付けを更新しながら学習する。この学習は、筋電位周波数スペクトル４０１をニューラルネットワーク４０に入力した際の認識結果４０２と、学習用教師信号パターン４０３とを比較して両者の誤差が所定の範囲内に入るかどうかを判定し、その判定結果に基づいて重み付けの更新を行うことで実行される。例えば、本実施形態のように５本の出力信号５０２が得られる場合には、各信号ごとに例えば「Ａ氏」「Ｂ氏」「Ｃ氏」「Ｄ氏」「Ｅ氏」が割り当てられる。この場合に「Ａ氏」に対応する教師信号は「１、０、０、０、０、０」であり、この教師信号と出力信号（例えば、「０．９、０．２、０．３、０．１、０．４」）とを比較した結果に応じて学習を行わせる。ニューラルネットワーク４０の学習は、例えば、誤差逆伝搬法（バックプロパゲーション法）によって行う（例えば、麻生英樹著、「ニューラルネットワーク情報処理」、産業図書、１９８８年、参照）。
【００２９】
状態遷移部１０４は、認証部１０３の認証結果に応じて、機能部１０１の所定の機能を利用可能な状態に遷移させる指示信号を機能部１０１に出力する部分である。より具体的には、状態遷移部１０４は、使用者が本人であれば機能部１０１の機能を利用可能な状態に遷移させる指示信号を機能部１０１に出力し、本人でなければその指示信号を出力しない。
【００３０】
引き続いて、認証装置１０を用いて使用者の認証を行う方法について図７を用いて説明する。図７は、使用者の認証を行う方法を示したフローチャートである。認証装置１０の筋電位取得部１０２が使用者の筋電位信号を取得し、認証部１０３に出力する（ステップＳ０１）。認証装置１０が腕時計型の装置であれば、例えば、使用者が「グー（拳を握りしめる）、チョキ（拳を握りしめた状態から人差し指と中指を立てる）、パー（掌を広げる）」という予め定められた所定の動作をし、その動作に応じて筋電位信号を筋電位取得部１０２が取得し、筋電位信号を認証部１０３に出力する。
【００３１】
認証部１０３は、時系列の筋電位信号を高速フーリエ変換し、筋電位周波数スペクトルとしてニューラルネットワークに入力する（ステップＳ０２）。ニューラルネットワークからは認識結果が出力される（ステップＳ０３）。この認識結果に基づいて使用者が本人であるかどうかが判断される（ステップＳ０４）。使用者が本人であれば、認証部１０３はその旨の信号を状態遷移部１０４に出力する。状態遷移部１０４は、その出力に応じて機能部１０１の所定の機能が使用可能となるように指示信号を出力する（ステップＳ０５）。機能部１０１は、その指示信号に応じて所定の機能が使用可能となり、所定の動作を行うことができる（ステップＳ０６）。なおステップＳ０４において、使用者が本人ではないと判断されればそのまま処理を終了する。
【００３２】
本発明の第２実施形態である認証システムについて図８を用いて説明する。図８は認証装置２０および外部認証装置（送信先装置）３０を含む認証システム２を説明するための図である。認証装置２０および外部認証装置３０は、図示しない情報通信網を介してデータの送受信が可能なように構成されている。
【００３３】
認証装置２０は、物理的には、ＣＰＵ（中央処理装置）、ＲＡＭやＲＯＭといったメモリ、筋電位信号を測定するための電極、所定の機能を果たす機能部、データの送受信を行うための変調復調部・アンテナ部などを備えた個人用の情報機器として構成されている。所定の機能は、認証装置２０に求められる機能によって設定されるものであり、時計機能、電話機機能、データ管理機能、テレビ電話機能といった機能が適宜選択される。従って認証装置２０は、所定の機能が時計機能であれば腕時計として機能し、所定の機能が電話機機能であれば携帯電話機として機能し、データ管理機能であればＰＤＡ（Ｐｅｒｓｏｎａｌ　Ｄｉｇｉｔａｌ　Ａｓｓｉｓｔａｎｃｅ）として機能する。
【００３４】
認証装置２０は機能的な構成要素として、機能部１０１と、筋電位取得部（筋電位取得手段）１０２と、状態遷移部（状態遷移手段）１０４と、送信部（送信手段）２０１と、受信部（受信手段）２０２とを含む。引き続いて、各構成要素について詳細に説明する。
【００３５】
機能部１０１、筋電位取得部１０２、状態遷移部１０４のそれぞれの機能は第１実施形態で説明したのと同様であるから説明を省略する。なお、第２実施形態においては、筋電位取得部１０２が測定した筋電位信号は送信部２０１に出力される。また、状態遷移部１０４は、受信部２０２からの出力に応じて動作する。
【００３６】
送信部２０１は、筋電位取得部１０２から出力される測定結果としての金電位信号を外部認証装置３０に送信する部分である。より具体的には、送信部２０１は、筋電位信号を増幅・変調し、所定の電力まで電力増幅を行った後、電波を放射することで筋電位信号を送信する。この実施形態では、筋電位信号をアナログ信号のまま送信しているけれども、デジタル信号に変換してから送信してもよい。
【００３７】
受信部２０２は、送信部２０１の筋電位信号の送信に基づいて返信される認証結果を受信し、状態遷移部１０４に出力する部分である。より具体的には、外部認証装置３０から送信される認証結果を受信し、所定の復調処理等を施して状態遷移部１０４に出力する。
【００３８】
引き続いて外部認証装置３０について説明する。外部認証装置３０は、物理的には、ＣＰＵ（中央処理装置）、メモリ、マウスやキーボードといった入力装置、ディスプレイといった表示装置、ハードディスクといった格納装置などを備えたコンピュータシステムとして構成されている。
【００３９】
外部認証装置３０は機能的な構成要素として、送信部３０１と、認証部３０２と、受信部３０３とを含む。引き続いて、各構成要素について詳細に説明する。
【００４０】
受信部３０３は、認証装置２０から送信される筋電位信号を受信し、所定の復調処理等を施して認証部３０２に出力する部分である。認証部３０２は、受信部３０３が受信した筋電位信号に基づいて、使用者の認証を行う部分である。より具体的には、認証部３０３は、時系列の筋電位信号を高速フーリエ変換によって周波数領域の信号に変換する。認証部３０３は、この周波数領域の信号をニューラルネットワークに入力し、その入力に応じた出力結果に基づいて使用者が本人であるかどうかを認証する。認証部３０３は、使用者が本人であるかどうかの認証結果を送信部３０１に出力する。送信部３０１は、認証部３０２の認証結果を認証装置２０に送信する部分である。
【００４１】
引き続いて、認証システム２を用いて使用者の認証を行う方法について図９を用いて説明する。図９は、使用者の認証を行う方法を示したフローチャートである。認証装置２０の筋電位取得部１０２が使用者の筋電位信号を取得し、送信部２０１に出力する（ステップＳ１１）。送信部２０１は、筋電位信号を外部認証装置３０に送信する（ステップＳ１２）。外部認証装置３０の受信部３０３は、筋電位信号を受信し認証部３０２に出力する（ステップＳ１３）。
【００４２】
認証部３０２は、時系列の筋電位信号を高速フーリエ変換し、筋電位周波数スペクトルとしてニューラルネットワークに入力する（ステップＳ１４）。ニューラルネットワークからは認識結果が出力される（ステップＳ１５）。この認識結果に基づいて使用者が本人であるかどうかが判断され、その判断結果は送信部３０１に出力される。送信部３０１はその判断結果を認証装置２０に送信する（ステップＳ１６）。
【００４３】
外部認証装置３０から送信された判断結果は認証装置２０の受信部２０２が受信し、状態遷移部１０４に出力される（ステップＳ１７）。状態遷移部１０４は、判断結果が本人であるかを判断する（ステップＳ１８）。使用者が本人であるとの判断結果であれば、状態遷移部１０４は、機能部１０１の所定の機能が使用可能となるように指示信号を出力する（ステップＳ１９）。機能部１０１は、その指示信号に応じて所定の機能が使用可能となり、所定の動作を行うことができる（ステップＳ２０）。なおステップＳ１８において、使用者が本人ではないと判断されればそのまま処理を終了する。
【００４４】
上述の説明では、筋電位信号や筋電位周波数スペクトルをアナログ信号で取り扱っているが、デジタル信号で取り扱ってもよい。その場合には、例えば１０対の電極対で測定される１０バンドのレベルを８バイトの浮動小数点表現で表すことが好ましい。この場合、８バイト中の１バイトは、指数部であり、残りの７バイトは仮数部（小数部）とすることが好ましい例である。バンド数が１０であれば、８バイトの値が１０個必要となる。その結果、筋電位周波数スペクトルは８０バイトで表現される。
【００４５】
また、上述の説明では、手の動きによって認証する場合を説明しているけれども、例えば、図２に示すような携帯電話機型の認証装置とする場合には、予め定められた言葉を発することで認証を行うことができる。
【００４６】
本実施形態においては、筋電位信号の変化に基づいて使用者を認証した結果に応じて所定の機能（時計機能、電話機機能、データ管理機能、テレビ電話機能）を利用可能な状態に遷移させるので、より確実に使用者の認証が可能となる。使用者はパスワードを入力するといったことをせずに、第三者の悪用の可能性を効果的に低減できる。
【００４７】
第１実施形態においては、認証装置１０が認証部１０３を含んでいるので、筋電位信号に基づいて使用者を認証する際に他の機器と通信を行わずに処理できる。
【００４８】
第２実施形態においては、測定した筋電位信号を外部認証装置３０に送信し、その送信に応じて認証結果を受信するので、その外部認証装置３０に含まれる認証部３０２によって使用者を認証することが可能となる。
【００４９】
また本実施形態においては、認証手段としてニューラルネットワークを用いているので、より信頼性の高い認証が可能となる。
【００５０】
【発明の効果】
本発明によれば、筋電位信号の変化に基づいて使用者を認証した結果に応じて所定の機能を利用可能な状態に遷移させるので、より確実に使用者の認証が可能となる。例えば、この認証装置を個人用の情報機器に適用すれば、使用者はパスワードを入力するといったことをせずに、第三者の悪用の可能性を効果的に低減できる。従って本発明の目的とする、所定の機能を果たす個人用の機器に適用され、より悪用防止効果の高い認証装置、認証システム、および認証方法を提供することができた。
【図面の簡単な説明】
【図１】本発明の実施形態である認証装置を説明するための図である。
【図２】本発明の実施形態である認証装置を説明するための図である。
【図３】本発明の実施形態である認証装置を説明するための図である。
【図４】本発明の実施形態で用いられるニューラルネットワークを説明するための図である。
【図５】本発明の実施形態で用いられるニューラルネットワークを説明するための図である。
【図６】本発明の実施形態で用いられるニューラルネットワークを説明するための図である。
【図７】本発明の実施形態である認証装置を用いて認証を行う方法を示した図である。
【図８】本発明の実施形態である認証システムを説明するための図である。
【図９】本発明の実施形態である認証システムを用いて認証を行う方法を示した図である。
【符号の説明】
１０…認証装置、１０１…機能部、１０２…筋電位取得部、１０２ａ…第一電極、１０２ｂ…第二電極、１０３…認証部、１０４…状態遷移部。
【図１】
2004133794.tif 000003
【図２】
2004133794.tif 000004
【図３】
2004133794.tif 000005
【図４】
2004133794.tif 000006
【図５】
2004133794.tif 000007
【図６】
2004133794.tif 000008
【図７】
2004133794.tif 000009
【図８】
2004133794.tif 000010
【図９】
2004133794.tif 000011